(57)【要約】【課題】外部からのシリンダ錠の施解錠操作を物理的に禁止することにより防犯性能を向上させた錠装置の提供を目的とする。【解決手段】電子的認証部１での認証成立により錠本体２のデッドボルト３を進退動させて施解錠する電動施錠部４と、  真正キーの挿入を条件に前記デッドボルト３を進退動させるシリンダ錠５とを有する錠装置であって、  前記電動施錠部４には、予め設定された電動施錠部４の動作条件を診断する診断回路６と、  該診断回路６が故障を検出した際にのみ前記シリンダ錠５の回転拘束を解除するシリンダ錠ロック部７とが設けられる。【選択図】  図１ 
2005082982.tif 000002
【特許請求の範囲】
【請求項１】
電子的認証部での認証成立により錠本体のデッドボルトを進退動させて施解錠する電動施錠部と、
真正キーの挿入を条件に前記デッドボルトを進退動させるシリンダ錠とを有する錠装置であって、
前記電動施錠部には、予め設定された電動施錠部の動作条件を診断する診断回路と、
該診断回路が故障を検出した際にのみ前記シリンダ錠の回転拘束を解除するシリンダ錠ロック部とが設けられる錠装置。
【発明の詳細な説明】
【技術分野】
【０００１】
本発明は、錠装置に関するものである。
【背景技術】
【０００２】
電気錠等とシリンダ錠とを併存させた錠装置としては、例えば、特許文献１に記載されたものが知られている。この従来例において、ドアには利用者が所持する携帯機から所定の電子信号との照合がとれた際に解錠動作する遠隔操作装置と、キー挿入孔がカバーにより覆われたシリンダ錠とが装着される。
【０００３】
カバーの開閉はカバー検知手段により検出されており、カバー検知手段がカバーへの操作を検知すると、警告手段から警告信号が出力される。
【０００４】
警告手段、カバー検知手段の電源は、遠隔操作装置駆動用の電源と共用化されており、通常の遠隔操作装置による運用時においては、シリンダ錠への不正操作を行うべく、カバーを操作すると警告が発せられる。
【０００５】
これに対し、停電時においては、カバーへの操作によっても警告装置の電源も断状態となっているために、機械式キーを使用したドア解錠操作が可能となる。
【特許文献１】特開２００１-２７１５２３号公報
【発明の開示】
【発明が解決しようとする課題】
【０００６】
しかし、上述した従来例におけるシリンダ錠への不正操作は、警告信号による信号出力によりシリンダ錠への不正操作を消極的に防止するものであるために、信頼性に欠けるという欠点を有する。
【０００７】
本発明は、以上の欠点を解消すべくなされたものであって、外部からのシリンダ錠の施解錠操作を物理的に禁止することにより防犯性能を向上させた錠装置の提供を目的とする。
【課題を解決するための手段】
【０００８】
本発明によれば上記目的は、
電子的認証部１での認証成立により錠本体２のデッドボルト３を進退動させて施解錠する電動施錠部４と、
真正キーの挿入を条件に前記デッドボルト３を進退動させるシリンダ錠５とを有する錠装置であって、
前記電動施錠部４には、予め設定された電動施錠部４の動作条件を診断する診断回路６と、
該診断回路６が故障を検出した際にのみ前記シリンダ錠５の回転拘束を解除するシリンダ錠ロック部７とが設けられる錠装置を提供することにより達成される。
【０００９】
図１に本発明の原理ブロック図を示す。錠装置は、錠本体２のデッドボルト３を操作してドア等の施錠対象への施解錠操作を行うように構成され、真正キーの挿入を条件にデッドボルト３への操作が可能なシリンダ錠５に加え、電子的認証部１での認証成立により施解錠動作がなされる電動施錠部４を有する。
【００１０】
電子的認証部１での認証信号には、利用者が所持するＩＤカード、ＲＦ-ＩＤタグ等により担持される電子情報に加え、予め登録された利用者の暗証番号、または指紋等のバイオメトリックス的特徴が利用でき、電子的認証部１は、これらに応じて、カードリーダ、ＲＦ-ＩＤリーダ、キーパッド、指紋認識装置等として構成される。
【００１１】
電動施錠部４には制御部８が設けられ、該制御部８の配下に上記電子的認証部１、錠本体２を駆動するためのアクチュエータ９、シリンダ錠ロック部７、動作条件登録部１０、および診断回路６が接続される。シリンダ錠ロック部７は、通常の運用状態においてシリンダ錠５をロックしてシリンダ錠５への回転操作を不能にし、シリンダ錠５を使用した解錠操作を禁止する。
【００１２】
診断回路６は、制御部８から診断要求信号を受領すると、動作条件登録部１０に動作条件を問い合わせ、電動施錠部４が所定の動作条件で駆動されているか否かを診断する。診断回路６の起動タイミングは、例えば、利用者側から電子的認証部１に対する認証要求が出力された時等、運用の状態を考慮して適宜決定される。
【００１３】
診断回路６によって、電動施錠部４が所定の動作条件を充足していないことが検出されると、制御部８は、上記シリンダ錠ロック部７を制御してシリンダ錠５へのロックを解除し、シリンダ錠５を使用した施解錠操作を可能にする。
【００１４】
診断回路６により診断される電動施錠部４の動作条件に加えるか否かは、シリンダ錠５による解錠操作が必要か否かにより判断され、例えば、動作時の電源電圧、あるいはアクチュエータ９の故障等を条件に加えた場合には、停電、電池消耗等の電源不備、あるいはアクチュエータ９への歯車列の噛み込み等が発生した場合には、自動的にシリンダ錠５による操作を可能にすることができる。
【００１５】
診断回路６による診断は、電子的動作の診断、例えば、電子的認証部１の診断の場合には、擬似ＩＤコードを電子的認証部１に送出して認証結果を評価することにより可能であり、ギアの噛み込み等の機械的動作の診断の場合には、アクチュエータ９に所定量の動作信号を送出し、動作の有無を確認するスイッチ等の出力を監視することにより簡単に実現できる。
【発明の効果】
【００１６】
本発明によれば、通常状態では、シリンダ錠５の操作を確実に不能することができるために、防犯性能を向上させることが可能であり、かつ、電源の異常等の場合には、自動的にシリンダ錠５による施解錠操作可能状態に切り替えるために、信頼性が向上する。
【発明を実施するための最良の形態】
【００１７】
図２に示すように、錠装置は、錠本体２の制御装置として構成され、電動施錠部４と、シリンダ錠５とから構成される。シリンダ錠５は、図外のシリンダケース内に真正な解錠キーによってのみ回転操作可能ロータを挿入して形成され、ロータを回転操作することにより錠本体２のデッドボルト３を進退動させ、錠本体２の施解錠操作をすることができる。
【００１８】
なお、この実施の形態において、錠装置は錠本体２の制御装置として構成される場合を示すが、錠本体２を含めた装置として構成することもできる。
【００１９】
電動施錠部４は、制御部８からの制御信号が通るバスライン１１上に図外のインターフェイス回路を介して接続されるアクチュエータ９と、シリンダ錠ロック部７とを有する。アクチュエータ９には、モータ、ソレノイド等が使用され、制御部８からの施解錠信号に基づいて、錠本体２のデッドボルト３を駆動する。
【００２０】
シリンダ錠ロック部７は、通常の運用状態においては、例えばシリンダケースとロータとの回転境界に差し込まれる閂を有して構成され、後述するように、制御部８からロック解除信号が出力されると、上記閂をロータの回転境界から退避させ、ロータの回転を可能にする。
【００２１】
また、バスライン１１には、電子的認証部１、動作条件検出部１２、診断回路６、動作条件登録部１０が接続され、図３に示す動作フローに従って動作する。この実施の形態において、電子的認証部１は、利用者の所持するＲＦ-ＩＤタグカード（ＩＤカード１３）に担持される電子ＩＤ情報により利用者確認を行うもので、ＩＤカード１３から発信される電子ＩＤ情報を読み取るＩＤリーダ１ａと、ＩＤリーダ１ａからの出力により利用権限を認証するＩＤ照合回路１ｂとから構成される。
【００２２】
いま、利用者がＩＤカード１３を近接させると（ステップＳ１）、動作条件検出部１２はＩＤリーダ１ａの出力を取り込み、制御部８を経由して診断回路６に出力する。診断回路６は、動作条件登録部１０にアクセスしてＩＤカード１３接近時の出力閾値を読み取り、電子的認証部１における電子ＩＤ情報の情報取得動作が所定の条件に達しているか否かを判定する（ステップＳ２）。
【００２３】
ステップＳ２において所定の動作条件に達していないと判定された場合には、シリンダ錠ロック部７によるロータのロック状態を解除する（ステップＳ３０）。この実施の形態において、シリンダ錠ロック部７のロック解除用アクチュエータ（図示せず）としては、マイクロモータが使用される。
【００２４】
一方、ステップＳ２において電子ＩＤ情報の情報取得動作が良好であることが確認されると、診断回路６によるＩＤ照合回路１ｂの確認が行われる（ステップＳ３）。ＩＤ照合回路１ｂの確認は、診断回路６から所定のＩＤ信号をＩＤ照合回路１ｂに出力し、戻り値による良否判定をして行われる。なお、診断回路６による診断は、診断対象からの出力と、当該診断対象について予め設定され、動作条件登録部１０に格納された判定基準とを比較して行われるが、説明を簡潔にするために、以後の説明においては、単に診断回路６による良否判定として述べる。
【００２５】
商用電源を使用することなく、内蔵のバッテリ１４により駆動されるこの実施の形態において、ステップＳ３による判定が良好で、利用者のＩＤカード１３が認証されると（ステップＳ４）、診断回路６による電池電圧の検査が行われる。電池電圧の診断は、ステップＳ５において電池電圧が規定値以上であるか否かを判定し、規定値以下である場合、すなわち、電池１４が消耗している場合には、警告発信した後、カウンタ１５による動作回数のカウントを開始する（ステップＳ６）。カウント開始の電源電圧の規定値は、適数回の使用が可能な電力をもとに算出される。
【００２６】
ステップＳ７においてカウンタ１５が規定回数以上に達した状態では錠本体を解錠状態で停止させ（ステップ８）、シリンダ錠ロック部７のロックを解除する（ステップＳ３０）。これにより、電池交換や修理を促すと同時に電気錠使用状態からシリンダ錠使用状態へのスムーズな移行が可能となる。
【００２７】
一方、ステップＳ５で電源電圧が良好であることが確認されると、診断回路６によりアクチュエータ９への駆動信号の有無、出力が診断され（ステップＳ９）、不良と診断された場合には、ステップＳ３０に制御が移行する。これに対し、ステップＳ９が良好な場合には、アクチュエータ９が駆動され（ステップ１０）、施解錠操作が行われる。アクチュエータ９の動作は、診断回路６により診断されて歯車列の異常、あるいはアクチュエータ９の異常が検出された場合には、ステップＳ３０に制御が移され、シリンダ錠５による操作を可能にする。
【００２８】
また、ステップＳ３０においてシリンダ錠５による操作を可能にした後、電池の入れ替え、あるいは、修理がなされた場合には、ステップＳ３１において電池電圧、ステップＳ３２においてその他の異常が診断され、双方に異常がない場合には、シリンダ錠ロック部７を再びロック状態に移行させ（ステップＳ３３）、初期状態に復帰する。
【図面の簡単な説明】
【００２９】
【図１】本発明の原理ブロック図である。
【図２】本発明の実施の形態を示すブロック図である。
【図３】図３のフローチャートである。
【符号の説明】
【００３０】
１        電子的認証部
２        錠本体
３        デッドボルト
４        電動施錠部
５        シリンダ錠
６        診断回路
７        シリンダ錠ロック部
【図１】
2005082982.tif 000003
【図２】
2005082982.tif 000004
【図３】
2005082982.tif 000005